(57)【要約】      （修正有）【課題】作業中のバランスが良くて安定しており、また移動する際にはいちいち作業用腰掛を持ち上げたり、あるいは引きずることなく次の作業場所に移動することができる作業用腰掛を提供する。【解決手段】着座可能な座部１１と、該座部１１の下部に取り付けた支持部１２と、該支持部１２から垂設されていて長さ調節が可能であり、下端に地面をキャッチする接地部１４を取り付けた内脚１３と、前記支持部１２の両側に首振り可能に軸着されていて長さ調節が可能であり、適宜位置に連結部を設けて一体的に動くようになっていて、下端に地面をキャッチする接地部１４を取り付けた一対の外脚１５とを備え、常態においては内脚１３と一対の外脚１５とで座部１１は３点支持されており、また前記座部１１を後傾させれば前記内脚１３は前送りされ、さらに前記座部１１を前傾させれば前記一対の外脚１５は前送りされるようになっていることを特徴とする。【選択図】図７
0003195827.tif 000002
【実用新案登録請求の範囲】
【請求項１】
着座可能な座部と、該座部の下部に取り付けた支持部と、該支持部から垂設されていて長さ調節が可能であり、下端に地面をキャッチする接地部を取り付けた内脚と、前記支持部の両側に首振り可能に軸着されていて長さ調節が可能であり、適宜位置に連結部を設けて一体的に動くようになっていて、下端に地面をキャッチする接地部を取り付けた一対の外脚とを備え、
常態においては内脚と一対の外脚とで座部は３点支持されており、
また前記座部を後傾させれば前記内脚は前送りされ、さらに前記座部を前傾させれば前記一対の外脚は前送りされるようになっていることを特徴とする作業用腰掛。
【請求項２】
前記着座可能な座部は、その背後に背もたれが取り付けられていることを特徴とする請求項１に記載の作業用腰掛。
【請求項３】
前記着座可能な座部は、その適所に使用者の身体に係合するフック付きの吊下げひもが取り付けられていることを特徴とする請求項１または２に記載の作業用腰掛。
【請求項４】
前記内脚と一対の外脚とは、前記内脚と前記外脚の連結部との間に開脚度を制限する規制環が取り付けられていることを特徴とする請求項１ないし３のいずれかに記載の作業用腰掛。
【請求項５】
前記一対の外脚の下端に取り付けた地面をキャッチする接地部は、さらに下向きの爪を備えていることを特徴とする請求項１ないし４のいずれかに記載の作業用腰掛。
【考案の詳細な説明】
【技術分野】
【０００１】
この考案は、果樹栽培における摘花、摘粒、芽欠き、傘かけや傘換え、剪定、ジベ処理のように、長時間立姿勢の上向き作業時の疲労を軽減するようにした作業用腰掛に関する。
【背景技術】
【０００２】
従来のこの種の作業用腰掛としては、実開昭６０−１７６６５１号公報（特許文献１参照）のように、ベルトを固着した腰掛を脚管と脚台で支持した構造の作業用腰掛が知られている。
この作業用腰掛の使用に際し、いったん作業が終わって次の作業地点に移動するときには、この腰掛を着装したまま前進歩行し、停止位置で再び腰を掛けて作業を行うのである。このようにすれば上向き立姿勢の疲労を軽減することができる。
そしてこの従来技術は、移動可能な台車のように装置が大きすぎず、また通常の腰掛では低すぎるのを改善しようとするものである。
【先行技術文献】
【特許文献】
【０００３】
【特許文献１】実開昭６０−１７６６５１号公報
【考案の概要】
【考案が解決しようとする課題】
【０００４】
しかしながら、前記作業用腰掛は１本の脚管のみで腰掛部分を支持するものであるため、作業中のバランスが悪くて非常に不安定である。なお、体重負荷は両足と脚台の３点において分散支持されるので、上向き立姿勢の疲労が軽減されるとあるものの、作業用腰掛は１本の脚管のみで腰掛部分を支持しているため、作業中のバランスが悪いという問題は解消されない。
また移動する際にはいちいち作業用腰掛を持ち上げて、あるいは引きずるようにして次の作業場所に移動する必要があった。
【０００５】
この考案の作業用腰掛は従来例の前記欠点を解消しようとするものであり、作業中のバランスが良くて安定しており、また移動する際にはいちいち作業用腰掛を持ち上げたり、あるいは引きずることなく、例えると歩行するように次の作業場所に移動することができる作業用腰掛を提供しようとするものである。
【課題を解決するための手段】
【０００６】
すなわち、この考案の作業用腰掛は、着座可能な座部と、該座部の下部に取り付けた支持部と、該支持部から垂設されていて長さ調節が可能であり、下端に地面をキャッチする接地部を取り付けた内脚と、前記支持部の両側に首振り可能に軸着されていて長さ調節が可能であり、適宜位置に連結部を設けて一体的に動くようになっていて、下端に地面をキャッチする接地部を取り付けた一対の外脚とを備え、
常態においては内脚と一対の外脚とで座部は３点支持されており、
また前記座部を後傾させれば前記内脚は前送りされ、さらに前記座部を前傾させれば前記一対の外脚は前送りされるようになっていることを特徴とするものである。
【０００７】
この考案の作業用腰掛において、前記着座可能な座部は、その背後に背もたれが取り付けられていることをも特徴とするものである。
【０００８】
この考案の作業用腰掛において、前記着座可能な座部は、その適所に使用者の身体に係合するフック付きの吊下げひもが取り付けられていることをも特徴とするものである。
【０００９】
この考案の作業用腰掛において、前記内脚と一対の外脚とは、前記内脚と前記外脚の連結部との間に開脚度を制限する規制環が取り付けられていることをも特徴とするものである。
【００１０】
この考案の作業用腰掛において、前記一対の外脚の下端に取り付けた地面をキャッチする接地部は、さらに下向きの爪を備えていることをも特徴とするものである。
【考案の効果】
【００１１】
この考案の作業用腰掛は以上のように構成したので、作業中のバランスが良くて安定しており、また移動する際にはいちいち作業用腰掛を持ち上げたり、あるいは引きずることなく、例えると歩行するように次の作業場所に移動することができる作業用腰掛を提供することができる。
さらに、この考案の作業用腰掛において、前記内脚と一対の外脚とは、前記内脚と前記外脚の連結部との間に開脚度を制限する規制環が取り付けられており、前記内脚と一対の外脚との間隔を簡単な構造で規制することが可能となった。
【図面の簡単な説明】
【００１２】
【図１】この考案の作業用腰掛の１実施例を示し、内脚と一対の外脚をたたんだ状態の正面図である。
【図２】その側面図である。
【図３】その背面図である。
【図４】その斜視図である。
【図５】座部を中央で切断した状態の斜視図である。
【図６】内脚と一対の外脚を開いた状態の側面図である。
【図７】図６の座部を中央で切断した状態の斜視図である。
【図８】（ａ）は接地部を示す正面図、（ｂ）はその側面図、（ｃ）はその底面図、（ｄ）は中央断面図である。
【図９】（ａ）は接地部の概略斜視図、（ｂ）はその中央切断斜視図である。
【図１０】接地部を地面に据え付ける状態を示し、（ａ）は接地前の概略断面図、（ｂ）は接地後の概略断面図である。
【図１１】前進する場合を説明するものであり、作業者が前に重心を移して外脚を前に寄せた状態を示す概略側面図である。
【図１２】作業者が後に重心を移して内脚を前に進めた状態を示す概略側面図である。
【図１３】作業用腰掛を３点支持とした状態の側面図である。
【考案を実施するための形態】
【００１３】
以下、この考案の作業用腰掛の実施の形態を、図面に基いて詳細に説明する。
図１ないし図１３はこの考案の作業用腰掛の１実施例を示し、図１ないし図５は内脚と一対の外脚をたたんだ状態を示すものであり、図６および図７は内脚と一対の外脚を開いた状態を示すものである。
【００１４】
図１ないし図７において、この実施例の作業用腰掛１０は、着座可能なサドル状の座部１１と、該座部１１の下部に取り付けた支持部１２と、該支持部１２から垂設されていて長さ調節が可能であり、下端に地面をキャッチする接地部１４を取り付けた内脚１３とを備えている。
さらに、前記支持部１２の両側に筒状の横軸１６を介して首振り可能に軸着されていて長さ調節が可能であり、適宜位置に長さ調節が可能な連結部１７を設けて一体的に動くようになっており、下端に地面をキャッチする接地部１８を取り付けた一対の外脚１５，１５が設けられている。図において１９はワッシャ、１６ａは横軸１６に一対の外脚１５，１５を回動可能に取り付ける止ネジである。
このように筒状の横軸１６を使用し、外側から止ネジ１６ａでネジ付けることにより一対の外脚１５，１５を確実に支持部１２に固着し、かつ外脚１５，１５をスムーズに動かすことができるようになるのである。
【００１５】
そして、上記作業用腰掛１０は運搬時等には内脚１３と一対の外脚１５，１５とが図１ないし図５のように一対の外脚１５，１５間に内脚１３が収納されている。
また、常態においては内脚１３と一対の外脚１５，１５とは、内脚１３と一対の外脚１５，１５間の連結部１７との間に配設したコ字状のストッパ２０によって約２０ｃｍの間隔で開脚し、地面に簡単に据え付けることができるようになっている。
そして使用時にはより開脚して、図６及び図７に示すように、座部１１は内脚１３と一対の外脚１５，１５の３点で安定的に支持されている。
【００１６】
前記着座可能な座部１１は、図ではその背後に背もたれ１１ａが取り付けられているが、この背もたれ１１ａは作業者の希望に応じて適宜取り付ければよい。
また前記着座可能な座部１１両側のほぼ中央の端部には、それぞれフック２２付きの吊下げひも２１が取り付けてあり、このフック２２を例えば後述するベルト２３を介して使用者の身体に係合するようになっている。
【００１７】
ちなみに、前記内脚１３と一対の外脚１５，１５とは、前記内脚１３と前記外脚１５，１５の連結部１７との間に例えばワイヤ製の規制環２４が所定の遊びを持った状態で取り付けられている。
この遊びは、前記内脚１３と一対の外脚１５，１５とをたたんだ際にはゆるく連結され、前記内脚１３と一対の外脚１５，１５とを開いた状態では緊張して所定の開脚度に保持できるようになっている。
【００１８】
前記内脚１３、外脚１５，１５の下部にはガイド筒３１を介して接地部１４，１８が連結されている。このガイド筒３１はその長さ方向の適所に所定の間隔で複数のネジ孔３２が配設され、前記内脚１３、外脚１５，１５の下部に配設したネジ孔（図示せず）とを位置合わせして調整ネジ３３を取り付けることにより、その長さを調整することができる。
【００１９】
図８ないし図１０はこの実施例の作業用腰掛における接地部１４，１８を説明するためのものである。
前記接地部１４，１８は、前記ガイド筒３１に固着した所定のサイズの基盤３４と、その下面外周に設けたリング状の突条３５と、該突条３５を横切るように配設した硬質ゴム等からなる滑り止め３６とで構成されている。
【００２０】
図８ないし図１０は特に前記外脚１５，１５における接地部１８を説明するためのものである。
図８および図９に示すように、前記一対の外脚１５，１５の下端に地面をキャッチするために前記接地部１８を取り付けたものであり、前記滑り止め３６の対向位置に下向きの爪３７が取り付けてある。
前記外脚１５，１５における接地部１８は、図１０（ａ）のように下向きに地面に向けて下降する。
そして接地状態においては、図１０（ｂ）のように前記爪３７が地面に食い込むように挿入され、簡単にはその場所からずれないようになっている。
【００２１】
次に図１１ないし図１３に基いてこの実施例における作業用腰掛１０の挙動を説明する。
予めコ字状のストッパ２０によって約２０ｃｍの間隔で開脚して地面に立てられた作業用腰掛１０は、作業状態においては前記内脚１３、外脚１５，１５間がより大きく開脚し、それによって作業用腰掛１０の座部１１は３点支持されているため、非常に安定した状態で作業を行うことができる。
その位置から移動するために、図１１に示すように作業者が腰を前に進めようとすると、内脚１３は接地状態のまま外脚１５，１５は首振りしてその接地部１８が前に移動する。
【００２２】
次いで、図１２に示すように座部１１上で作業者が後側に体重をかけると、今度は外脚１５，１５は接地状態のまま内脚１３は支持部１２とともに首振りしてその接地部１４が前に移動する。
【００２３】
前記内脚１３が外脚１５，１５との間隔を規制環２４の長さいっぱいまで広げると、規制環２４が緊張して前記内脚１３、外脚１５，１５間の間隔が十分開くので各脚の接地部１４，１８を接地状態にすると、図１３に示すように作業者は座部１１に座ったまま、各脚による３点支持で安定した状態で作業を続けることができる。
【産業上の利用可能性】
【００２４】
前記実施例においてはこの考案の作業用腰掛をブドウ栽培等の農作業の用途に適用した場合について説明してきたが、工場での作業や家庭内での家事等に適用したりして、その他の用途に利用することも本考案の技術的範囲に含まれることはいうまでもない。
【符号の説明】
【００２５】
１０  作業用腰掛
１１  座部
１１ａ  背もたれ
１２  支持部
１３  内脚
１４  接地部
１５，１５  外脚
１６  横軸
１６ａ  止ネジ
１７  連結部
１８  接地部
１９  ワッシャ
２０  ストッパ
２１  吊下げひも
２２  フック
２３  ベルト
２４  規制環
３１  ガイド筒
３２  ネジ孔
３３  調整ネジ
３４  基盤
３５  リング状の突条
３６  滑り止め
３７  爪
【図１】
0003195827.tif 000003
【図２】
0003195827.tif 000004
【図３】
0003195827.tif 000005
【図４】
0003195827.tif 000006
【図５】
0003195827.tif 000007
【図６】
0003195827.tif 000008
【図７】
0003195827.tif 000009
【図８】
0003195827.tif 000010
【図９】
0003195827.tif 000011
【図１０】
0003195827.tif 000012
【図１１】
0003195827.tif 000013
【図１２】
0003195827.tif 000014
【図１３】
0003195827.tif 000015